(57)【要約】  本開示の一態様に係るユーザ端末は、特定上り送信の空間関係が特定下りチャネルの送信制御指示（ＴＣＩ）状態又は擬似コロケーション（ＱＣＬ）想定と同一であると想定する制御部と、前記空間関係を用いて前記特定上り送信を行う送信部と、を有する。本開示の一態様によれば、ＵＬビームの制御を適切に行うことができる。
2020148903.tif 000002
【特許請求の範囲】
【請求項１】
特定上り送信の空間関係が特定下りチャネルの送信制御指示（ＴＣＩ）状態又は擬似コロケーション（ＱＣＬ）想定と同一であると想定する制御部と、
前記空間関係を用いて前記特定上り送信を行う送信部と、を有することを特徴とするユーザ端末。
【請求項２】
前記制御部は、サウンディング参照信号（ＳＲＳ）設定情報によって空間関係情報を設定されない場合、前記空間関係が前記ＴＣＩ状態又は前記ＱＣＬ想定と同一であると想定することを特徴とする請求項１に記載のユーザ端末。
【請求項３】
前記制御部は、前記特定上り送信の設定のための無線リソース制御（ＲＲＣ）情報要素に、前記空間関係を示すフィールドが無い場合、前記空間関係が、前記特定下りチャネルのアクティブＴＣＩ状態、又は、最新のスロットにおいて最低の制御リソースセットＩＤを有し且つモニタされるサーチスペースに関連付けられた制御リソースセットのアクティブＴＣＩ状態又はＱＣＬ想定、と同一であると想定することを特徴とする請求項２に記載のユーザ端末。
【請求項４】
前記制御部は、特定タイプのＳＲＳリソースのための空間関係情報を示す上位レイヤパラメータを設定されない場合、前記空間関係が、前記特定下りチャネルのアクティブＴＣＩ状態、又は、最新のスロットにおいて最低の制御リソースセットＩＤを有し且つモニタされるサーチスペースに関連付けられた制御リソースセットのアクティブＴＣＩ状態又はＱＣＬ想定、と同一であると想定することを特徴とする請求項２に記載のユーザ端末。
【請求項５】
前記制御部は、６ＧＨｚよりも高い周波数において、サウンディング参照信号（ＳＲＳ）設定情報によって空間関係情報を設定されない場合、前記空間関係が前記ＴＣＩ状態又は前記ＱＣＬ想定と同一であると想定することを特徴とする請求項１に記載のユーザ端末。
【請求項６】
特定上り送信の空間関係が特定下りチャネルの送信制御指示（ＴＣＩ）状態又は擬似コロケーション（ＱＣＬ）想定と同一であると想定するステップと、
前記空間関係を用いて前記特定上り送信を行うステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）において、ユーザ端末（ＵＥ：User  Equipment）は、下り制御情報（Downlink  Control  Information（ＤＣＩ））に基づいて、上り共有チャネル（Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、ＰＵＣＣＨ、ＰＵＳＣＨ、ＳＲＳなどの、上りリンク（ＵＬ）送信のビーム（空間関係）について、上位レイヤシグナリングによって設定された複数の候補の中の１つを、メディアアクセス制御（Medium  Access  Control：ＭＡＣ）制御要素（Control  Element：ＣＥ）又は下り制御情報（ＤＣＩ）などによって指定することが検討されている。【０００７】
しかしながら、設定可能な候補の数は限られる。多くの候補を用いるために、上位レイヤシグナリングによる再設定を行う場合、遅延やリソースの消費などが発生するおそれがある。【０００８】
そこで、本開示は、ＵＬビームの制御を適切に行うユーザ端末及び無線通信方法を提供することを目的の１つとする。
【課題を解決するための手段】
【０００９】
本開示の一態様に係るユーザ端末は、特定上り送信の空間関係が特定下りチャネルの送信制御指示（ＴＣＩ）状態又は擬似コロケーション（ＱＣＬ）想定と同一であると想定する制御部と、前記空間関係を用いて前記特定上り送信を行う送信部と、を有することを特徴とする。
【発明の効果】
【００１０】
本開示の一態様によれば、ＵＬビームの制御を適切に行うことができる。
【図面の簡単な説明】
【００１１】
【図１】図１は、ビームコレスポンデンスの一例を示す図である。
【図２】図２は、特定ＵＬ送信の空間関係の一例を示す図である。
【図３】図３は、一実施形態に係る無線通信システムの概略構成の一例を示す図である。
【図４】図４は、一実施形態に係る基地局の構成の一例を示す図である。
【図５】図５は、一実施形態に係るユーザ端末の構成の一例を示す図である。
【図６】図６は、一実施形態に係る基地局及びユーザ端末のハードウェア構成の一例を示す図である。
【発明を実施するための形態】
【００１２】
（ＴＣＩ、空間関係、ＱＣＬ）
ＮＲでは、送信設定指示状態（Transmission  Configuration  Indication  state（ＴＣＩ状態））に基づいて、信号及びチャネルの少なくとも一方（信号／チャネルと表現する）のＵＥにおける受信処理（例えば、受信、デマッピング、復調、復号の少なくとも１つ）、送信処理（例えば、送信、マッピング、プリコーディング、変調、符号化の少なくとも１つ）を制御することが検討されている。
【００１３】
ＴＣＩ状態は下りリンクの信号／チャネルに適用されるものを表してもよい。上りリンクの信号／チャネルに適用されるＴＣＩ状態に相当するものは、空間関係（spatial  relation）と表現されてもよい。
【００１４】
ＴＣＩ状態とは、信号／チャネルの疑似コロケーション（Quasi-Co-Location（ＱＣＬ））に関する情報であり、空間受信パラメータ、空間関係情報（Spatial  Relation  Information（ＳＲＩ））などと呼ばれてもよい。ＴＣＩ状態は、チャネルごと又は信号ごとにＵＥに設定されてもよい。
【００１５】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（Doppler  shift）、ドップラースプレッド（Doppler  spread）、平均遅延（average  delay）、遅延スプレッド（delay  spread）、空間パラメータ（spatial  parameter）（例えば、空間受信パラメータ（spatial  Rx  parameter））の少なくとも１つが同一である（これらの少なくとも１つに関してＱＣＬである）と仮定できることを意味してもよい。
【００１６】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１７】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００１８】
所定の制御リソースセット（Control  Resource  Set（ＣＯＲＥＳＥＴ））、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００１９】
ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００２０】
ＴＣＩ状態は、例えば、対象となるチャネル（又は当該チャネル用の参照信号（Reference  Signal（ＲＳ）））と、別の信号（例えば、別の下り参照信号（Downlink  Reference  Signal（ＤＬ−ＲＳ）））とのＱＣＬに関する情報であってもよい。ＴＣＩ状態は、上位レイヤシグナリング、物理レイヤシグナリング又はこれらの組み合わせによって設定（指示）されてもよい。
【００２１】
本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００２２】
ＭＡＣシグナリングは、例えば、ＭＡＣ制御要素（MAC  Control  Element（ＭＡＣ  ＣＥ））、ＭＡＣ  Protocol  Data  Unit（ＰＤＵ）などを用いてもよい。ブロードキャスト情報は、例えば、マスタ情報ブロック（Master  Information  Block（ＭＩＢ））、システム情報ブロック（System  Information  Block（ＳＩＢ））、最低限のシステム情報（Remaining  Minimum  System  Information（ＲＭＳＩ））、その他のシステム情報（Other  System  Information（ＯＳＩ））などであってもよい。
【００２３】
物理レイヤシグナリングは、例えば、下り制御情報（Downlink  Control  Information（ＤＣＩ））であってもよい。
【００２４】
ＴＣＩ状態が設定（指定）されるチャネルは、例えば、下り共有チャネル（Physical  Downlink  Shared  Channel（ＰＤＳＣＨ））、下り制御チャネル（Physical  Downlink  Control  Channel（ＰＤＣＣＨ））、上り共有チャネル（Physical  Uplink  Shared  Channel（ＰＵＳＣＨ））、上り制御チャネル（Physical  Uplink  Control  Channel（ＰＵＣＣＨ））の少なくとも１つであってもよい。
【００２５】
また、当該チャネルとＱＣＬ関係となるＲＳは、例えば、同期信号ブロック（Synchronization  Signal  Block（ＳＳＢ））、チャネル状態情報参照信号（Channel  State  Information  Reference  Signal（ＣＳＩ−ＲＳ））、測定用参照信号（Sounding  Reference  Signal（ＳＲＳ））の少なくとも１つであってもよい。
【００２６】
ＳＳＢは、プライマリ同期信号（Primary  Synchronization  Signal（ＰＳＳ））、セカンダリ同期信号（Secondary  Synchronization  Signal（ＳＳＳ））及びブロードキャストチャネル（Physical  Broadcast  Channel（ＰＢＣＨ））の少なくとも１つを含む信号ブロックである。ＳＳＢは、ＳＳ／ＰＢＣＨブロックと呼ばれてもよい。
【００２７】
上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関係情報）及びＱＣＬタイプを示す情報（ＱＣＬタイプ情報）の少なくとも１つを含んでもよい。ＤＬ−ＲＳ関係情報は、ＤＬ−ＲＳのインデックス（例えば、ＳＳＢインデックス、ノンゼロパワーＣＳＩ−ＲＳ（Non-Zero-Power（ＮＺＰ）  CSI-RS）リソースＩＤ（Identifier））、ＲＳが位置するセルのインデックス、ＲＳが位置するBandwidth  Part（ＢＷＰ）のインデックスなどの情報を含んでもよい。
【００２８】
＜ＰＤＣＣＨのためのＴＣＩ状態＞
ＰＤＣＣＨ（又はＰＤＣＣＨに関連する復調用参照信号（DeModulation  Reference  Signal（ＤＭＲＳ））アンテナポート）及び所定のＤＬ−ＲＳとのＱＣＬに関する情報は、ＰＤＣＣＨのためのＴＣＩ状態などと呼ばれてもよい。
【００２９】
ＵＥは、ＵＥ固有のＰＤＣＣＨ（ＣＯＲＥＳＥＴ）のためのＴＣＩ状態を、上位レイヤシグナリングに基づいて判断してもよい。例えば、ＵＥに対して、ＣＯＲＥＳＥＴごとに、１つ又は複数（Ｋ個）のＴＣＩ状態がＲＲＣシグナリングによって設定されてもよい。
【００３０】
ＵＥは、各ＣＯＲＥＳＥＴに対し、ＲＲＣシグナリングによって設定された複数のＴＣＩ状態の１つを、ＭＡＣ  ＣＥによってアクティベートされてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３１】
＜ＰＤＳＣＨのためのＴＣＩ状態＞
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３２】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３３】
ＰＤＳＣＨのスケジューリングに用いられるＤＣＩは、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３４】
ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００３５】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００３６】
ＤＬ  ＤＣＩの受信と当該ＤＣＩに対応するＰＤＳＣＨの受信との間の時間オフセットが所定の閾値以上である場合、ＵＥは、当該ＤＣＩによって指示されるＴＣＩ状態によって与えられるＱＣＬタイプパラメータに関するＴＣＩ状態におけるＲＳと、サービングセルのＰＤＳＣＨのＤＭＲＳポートがＱＣＬである（”the  DM-RS  ports  of  PDSCH  of  a  serving  cell  are  quasi  co-located  with  the  RS(s)  in  the  TCI  state  with  respect  to  the  QCL  type  parameter(s)  given  by  the  indicated  TCI  state”）と想定してもよい。
【００３７】
ＤＬ  ＤＣＩの受信と当該ＤＣＩに対応するＰＤＳＣＨの受信との間の時間オフセットは、スケジューリングオフセットと呼ばれてもよい。
【００３８】
また、上記所定の閾値は、「Threshold」、「Threshold  for  offset  between  a  DCI  indicating  a  TCI  state  and  a  PDSCH  scheduled  by  the  DCI」、「Threshold-Sched-Offset」、スケジュールオフセット閾値、スケジューリングオフセット閾値などと呼ばれてもよい。
【００３９】
スケジューリングオフセット閾値は、ＵＥ能力に基づいてもよく、例えばＰＤＣＣＨの復号及びビーム切り替えにかかる遅延に基づいてもよい。当該スケジューリングオフセット閾値の情報は、基地局から上位レイヤシグナリングを用いて設定されてもよいし、ＵＥから基地局に送信されてもよい。
【００４０】
また、スケジューリングオフセットがスケジューリングオフセット閾値未満である場合、ＵＥは、サービングセルのアクティブＢＷＰ内で１つ以上のＣＯＲＥＳＥＴが当該ＵＥに設定される最新（直近、latest）のスロットにおける最小のＣＯＲＥＳＥＴ−ＩＤに対応するＰＤＣＣＨ  ＱＣＬ指示のために用いられるＱＣＬパラメータに関するＴＣＩ状態におけるＲＳと、当該サービングセルのＰＤＳＣＨのＤＭＲＳポートがＱＣＬである（the  DM-RS  ports  of  PDSCH  of  a  serving  cell  are  quasi  co-located  with  the  RS(s)  in  the  TCI  state  with  respect  to  the  QCL  parameter(s)  used  for  PDCCH  quasi  co-location  indication  of  the  lowest  CORESET-ID  in  the  latest  slot  in  which  one  or  more  CORESETs  within  the  active  BWP  of  the  serving  cell  are  configured  for  the  UE）と想定してもよい。
【００４１】
例えば、ＵＥは、上記ＰＤＳＣＨのＤＭＲＳポートが、上記最小のＣＯＲＥＳＥＴ−ＩＤに対応するＣＯＲＥＳＥＴについてアクティベートされたＴＣＩ状態に基づくＤＬ−ＲＳとＱＣＬであると想定してもよい。最新のスロットは、例えば、上記ＰＤＳＣＨをスケジュールするＤＣＩを受信するスロットであってもよい。
【００４２】
なお、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。
【００４３】
＜ＰＵＣＣＨのための空間関係＞
ＵＥは、上位レイヤシグナリング（例えば、Radio  Resource  Control（ＲＲＣ）シグナリング）によって、ＰＵＣＣＨ送信に用いられるパラメータ（ＰＵＣＣＨ設定情報、PUCCH-Config）を設定されてもよい。ＰＵＣＣＨ設定情報は、キャリア（セル、コンポーネントキャリア等ともいう）内の部分的な帯域（例えば、上り帯域幅部分（Bandwidthpart（ＢＷＰ）））毎に設定されてもよい。
【００４４】
ＰＵＣＣＨ設定情報は、ＰＵＣＣＨリソースセット情報（例えば、PUCCH-ResourceSet）のリストと、ＰＵＣＣＨ空間関係情報（例えば、PUCCH-SpatialRelationInfo）のリストと、を含んでもよい。
【００４５】
ＰＵＣＣＨリソースセット情報は、ＰＵＣＣＨリソースインデックス（ＩＤ、例えば、PUCCH-ResourceId）のリスト（例えば、resourceList）を含んでもよい。
【００４６】
また、ＵＥがＰＵＣＣＨ設定情報内のＰＵＣＣＨリソースセット情報によって提供される個別ＰＵＣＣＨリソース設定情報（例えば、個別ＰＵＣＣＨリソース構成（dedicated  PUCCH  resource  configuration））を持たない場合（ＲＲＣセットアップ前）、ＵＥは、システム情報（例えば、System  Information  Block  Type1（ＳＩＢ１）又はRemaining  minimum  system  information（ＲＭＳＩ））内のパラメータ（例えば、pucch-ResourceCommon）に基づいて、ＰＵＣＣＨリソースセットを決定してもよい。当該ＰＵＣＣＨリソースセットは、１６個のＰＵＣＣＨリソースを含んでもよい。
【００４７】
一方、ＵＥが上記個別ＰＵＣＣＨリソース設定情報（ＵＥ個別の上り制御チャネル構成、個別ＰＵＣＣＨリソース構成）を持つ場合（ＲＲＣセットアップ後）、ＵＥは、ＵＣＩ情報ビットの数に従ってＰＵＣＣＨリソースセットを決定してもよい。
【００４８】
ＵＥは、下り制御情報（Downlink  Control  Information（ＤＣＩ））（例えば、ＰＤＳＣＨのスケジューリングに用いられるＤＣＩフォーマット１＿０又は１＿１）内の所定フィールド（例えば、ＰＵＣＣＨリソース指示（PUCCH  resource  indicator）フィールド）の値と、当該ＤＣＩを運ぶＰＤＣＣＨ受信用の制御リソースセット（COntrol  REsource  SET（ＣＯＲＥＳＥＴ））内のＣＣＥ数（ＮＣＣＥ）と、当該ＰＤＣＣＨ受信の先頭（最初の）ＣＣＥのインデックス（ｎＣＣＥ，０）と、の少なくとも一つに基づいて、上記ＰＵＣＣＨリソースセット（例えば、セル固有又はＵＥ個別に決定されるＰＵＣＣＨリソースセット）内の一つのＰＵＣＣＨリソース（インデックス）を決定してもよい。
【００４９】
ＰＵＣＣＨ空間関係情報（例えば、ＲＲＣ情報要素の「PUCCH-spatialRelationInfo」）は、ＰＵＣＣＨ送信のための複数の候補ビーム（空間ドメインフィルタ）を示してもよい。ＰＵＣＣＨ空間関係情報は、ＲＳ（Reference  signal）とＰＵＣＣＨの間の空間的な関係付けを示してもよい。
【００５０】
ＰＵＣＣＨ空間関係情報のリストは、幾つかの要素（ＰＵＣＣＨ空間関係情報ＩＥ（Information  Element））を含んでもよい。各ＰＵＣＣＨ空間関係情報は、例えば、ＰＵＣＣＨ空間関係情報のインデックス（ＩＤ、例えば、pucch-SpatialRelationInfoId）、サービングセルのインデックス（ＩＤ、例えば、servingCellId）、ＰＵＣＣＨと空間関係となるＲＳ（リファレンスＲＳ）に関する情報の少なくとも一つを含んでもよい。
【００５１】
例えば、当該ＲＳに関する情報は、ＳＳＢインデックス、ＣＳＩ−ＲＳインデックス（例えば、ＮＺＰ（Non-Zero  Power）−ＣＳＩ−ＲＳリソース構成ＩＤ）、又は、ＳＲＳリソースＩＤ及びＢＷＰのＩＤであってもよい。ＳＳＢインデックス、ＣＳＩ−ＲＳインデックス及びＳＲＳリソースＩＤは、対応するＲＳの測定によって選択されたビーム、リソース、ポートの少なくとも１つに関連付けられてもよい。
【００５２】
ＵＥは、ＰＵＣＣＨ空間関係情報のリスト内の一以上のＰＵＣＣＨ空間関係情報（例えば、PUCCH-SpatialRelationInfo、又は、候補ビーム）の１つを、ＭＡＣ（Medium  Access  Control）  ＣＥ（Control  Element）によって指示されてもよい。当該ＭＡＣ  ＣＥは、ＰＵＣＣＨ空間関係情報をアクティベート又はディアクティベートするＭＡＣ  ＣＥ（ＰＵＣＣＨ空間関係情報アクティベーション／ディアクティベーションＭＡＣ  ＣＥ、ＰＵＣＣＨ空間関係情報指示ＭＡＣ  ＣＥ）であってもよい。
【００５３】
ＵＥは、所定のＰＵＣＣＨ空間関係情報をアクティベートするＭＡＣ  ＣＥに対する肯定応答（ＡＣＫ）を送信してから３ｍｓ後に、当該ＭＡＣ  ＣＥにより指定されるＰＵＣＣＨ関係情報をアクティベートしてもよい。
【００５４】
ＵＥは、ＭＡＣ  ＣＥによりアクティベートされるＰＵＣＣＨ空間関係情報に基づいて、ＰＵＣＣＨの送信を制御してもよい。なお、ＰＵＣＣＨ空間関係情報のリスト内に単一のＰＵＣＣＨ空間関係情報が含まれる場合、ＵＥは、当該ＰＵＣＣＨ空間関係情報に基づいて、ＰＵＣＣＨの送信を制御してもよい。
【００５５】
＜ＳＲＳ、ＰＵＳＣＨのための空間関係＞
ＵＥは、測定用参照信号（例えば、サウンディング参照信号（Sounding  Reference  Signal（ＳＲＳ）））の送信に用いられる情報（ＳＲＳ設定情報、例えば、ＲＲＣ制御要素の「SRS-Config」内のパラメータ）を受信してもよい。
【００５６】
具体的には、ＵＥは、一つ又は複数のＳＲＳリソースセットに関する情報（ＳＲＳリソースセット情報、例えば、ＲＲＣ制御要素の「SRS-ResourceSet」）と、一つ又は複数のＳＲＳリソースに関する情報（ＳＲＳリソース情報、例えば、ＲＲＣ制御要素の「SRS-Resource」）との少なくとも一つを受信してもよい。
【００５７】
１つのＳＲＳリソースセットは、所定数のＳＲＳリソースに関連してもよい（所定数のＳＲＳリソースをグループ化してもよい）。各ＳＲＳリソースは、ＳＲＳリソース識別子（SRS  Resource  Indicator（ＳＲＩ））又はＳＲＳリソースＩＤ（Identifier）によって特定されてもよい。
【００５８】
ＳＲＳリソースセット情報は、ＳＲＳリソースセットＩＤ（SRS-ResourceSetId）、当該リソースセットにおいて用いられるＳＲＳリソースＩＤ（SRS-ResourceId）のリスト、ＳＲＳリソースタイプ（例えば、周期的ＳＲＳ（Periodic  SRS）、セミパーシステントＳＲＳ（Semi-Persistent  SRS）、非周期的ＣＳＩ（Aperiodic  SRS）のいずれか）、ＳＲＳの用途（usage）の情報を含んでもよい。
【００５９】
ここで、ＳＲＳリソースタイプは、周期的ＳＲＳ（Periodic  SRS：Ｐ−ＳＲＳ）、セミパーシステントＳＲＳ（Semi-Persistent  SRS：ＳＰ−ＳＲＳ）、非周期的ＣＳＩ（Aperiodic  SRS：Ａ−ＳＲＳ）のいずれかを示してもよい。なお、ＵＥは、Ｐ−ＳＲＳ及びＳＰ−ＳＲＳを周期的（又はアクティベート後、周期的）に送信し、Ａ−ＳＲＳをＤＣＩのＳＲＳリクエストに基づいて送信してもよい。
【００６０】
また、用途（ＲＲＣパラメータの「usage」、Ｌ１（Layer-1）パラメータの「SRS-SetUse」）は、例えば、ビーム管理（beamManagement）、コードブック（codebook：ＣＢ）、ノンコードブック（noncodebook：ＮＣＢ）、アンテナスイッチングなどであってもよい。コードブック又はノンコードブック用途のＳＲＳは、ＳＲＩに基づくコードブックベース又はノンコードブックベースのＰＵＳＣＨ送信のプリコーダの決定に用いられてもよい。
【００６１】
例えば、ＵＥは、コードブックベース送信の場合、ＳＲＩ、送信ランク指標（Transmitted  Rank  Indicator：ＴＲＩ）及び送信プリコーディング行列指標（Transmitted  Precoding  Matrix  Indicator：ＴＰＭＩ）に基づいて、ＰＵＳＣＨ送信のためのプリコーダを決定してもよい。ＵＥは、ノンコードブックベース送信の場合、ＳＲＩに基づいてＰＵＳＣＨ送信のためのプリコーダを決定してもよい。
【００６２】
ＳＲＳリソース情報は、ＳＲＳリソースＩＤ（SRS-ResourceId）、ＳＲＳポート数、ＳＲＳポート番号、送信Ｃｏｍｂ、ＳＲＳリソースマッピング（例えば、時間及び／又は周波数リソース位置、リソースオフセット、リソースの周期、繰り返し数、ＳＲＳシンボル数、ＳＲＳ帯域幅など）、ホッピング関連情報、ＳＲＳリソースタイプ、系列ＩＤ、ＳＲＳの空間関係情報などを含んでもよい。
【００６３】
ＳＲＳの空間関係情報（例えば、ＲＲＣ情報要素の「spatialRelationInfo」）は、所定の参照信号とＳＲＳとの間の空間関係情報を示してもよい。当該所定の参照信号は、同期信号／ブロードキャストチャネル（Synchronization  Signal/Physical  Broadcast  Channel：ＳＳ／ＰＢＣＨ）ブロック、チャネル状態情報参照信号（Channel  State  Information  Reference  Signal：ＣＳＩ−ＲＳ）及びＳＲＳ（例えば別のＳＲＳ）の少なくとも１つであってもよい。ＳＳ／ＰＢＣＨブロックは、同期信号ブロック（ＳＳＢ）と呼ばれてもよい。
【００６４】
ＳＲＳの空間関係情報は、上記所定の参照信号のインデックスとして、ＳＳＢインデックス、ＣＳＩ−ＲＳリソースＩＤ、ＳＲＳリソースＩＤの少なくとも１つを含んでもよい。
【００６５】
なお、本開示において、ＳＳＢインデックス、ＳＳＢリソースＩＤ及びＳＳＢＲＩ（SSB  Resource  Indicator）は互いに読み替えられてもよい。また、ＣＳＩ−ＲＳインデックス、ＣＳＩ−ＲＳリソースＩＤ及びＣＲＩ（CSI-RS  Resource  Indicator）は互いに読み替えられてもよい。また、ＳＲＳインデックス、ＳＲＳリソースＩＤ及びＳＲＩは互いに読み替えられてもよい。
【００６６】
ＳＲＳの空間関係情報は、上記所定の参照信号に対応するサービングセルインデックス、ＢＷＰインデックス（ＢＷＰ  ＩＤ）などを含んでもよい。
【００６７】
ＮＲでは、上り信号の送信は、ビームコレスポンデンス（Beam  Correspondence（ＢＣ））の有無に基づいて制御されてもよい。ＢＣとは、例えば、あるノード（例えば、基地局又はＵＥ）が、信号の受信に用いるビーム（受信ビーム、Ｒｘビーム）に基づいて、信号の送信に用いるビーム（送信ビーム、Ｔｘビーム）を決定する能力であってもよい。
【００６８】
なお、ＢＣは、送信／受信ビームコレスポンデンス（Tx/Rx  beam  correspondence）、ビームレシプロシティ（beam  reciprocity）、ビームキャリブレーション（beam  calibration）、較正済／未較正（Calibrated/Non-calibrated）、レシプロシティ較正済／未較正（reciprocity  calibrated/non-calibrated）、対応度、一致度などと呼ばれてもよい。
【００６９】
図１に示すように、ＢＣにおいて、ｇＮＢがビームＢ２１〜Ｂ２４を用いて送信ビームスイーピングを行い、ＵＥがビームｂ１〜ｂ４を用いて受信ビームスイーピングを行うことによって、ｇＮＢ及びＵＥは、測定結果に基づいてｇＮＢのビームＢ２２をＤＬ送信ビームとして決定し、ＵＥのビームｂ２をＤＬ受信ビームとして決定する。ｇＮＢは決定されたビームＢ２２をＵＬ受信ビームとしても用い、ＵＥは決定されたビームｂ２をＵＬ送信ビームとしても用いる。
【００７０】
例えば、ＢＣ無しの場合、ＵＥは、一以上のＳＲＳ（又はＳＲＳリソース）の測定結果に基づいて基地局から指示されるＳＲＳ（又はＳＲＳリソース）と同一のビーム（空間ドメイン送信フィルタ）を用いて、上り信号（例えば、ＰＵＳＣＨ、ＰＵＣＣＨ、ＳＲＳ等）を送信してもよい。
【００７１】
一方、ＢＣ有りの場合、ＵＥは、所定のＳＳＢ又はＣＳＩ−ＲＳ（又はＣＳＩ−ＲＳリソース）の受信に用いるビーム（空間ドメイン受信フィルタ）と同一の又は対応するビーム（空間ドメイン送信フィルタ）を用いて、上り信号（例えば、ＰＵＳＣＨ、ＰＵＣＣＨ、ＳＲＳ等）を送信してもよい。
【００７２】
ＵＥは、あるＳＲＳリソースについて、ＳＳＢ又はＣＳＩ−ＲＳと、ＳＲＳとに関する空間関係情報を設定される場合（例えば、ＢＣ有りの場合）には、当該ＳＳＢ又はＣＳＩ−ＲＳの受信のための空間ドメインフィルタ（空間ドメイン受信フィルタ）と同じ空間ドメインフィルタ（空間ドメイン送信フィルタ）を用いて当該ＳＲＳリソースを送信してもよい。この場合、ＵＥはＳＳＢ又はＣＳＩ−ＲＳのＵＥ受信ビームとＳＲＳのＵＥ送信ビームとが同じであると想定してもよい。
【００７３】
ＵＥは、あるＳＲＳ（ターゲットＳＲＳ）リソースについて、別のＳＲＳ（参照ＳＲＳ）と当該ＳＲＳ（ターゲットＳＲＳ）とに関する空間関係情報を設定される場合（例えば、ＢＣ無しの場合）には、当該参照ＳＲＳの送信のための空間ドメインフィルタ（空間ドメイン送信フィルタ）と同じ空間ドメインフィルタ（空間ドメイン送信フィルタ）を用いてターゲットＳＲＳリソースを送信してもよい。つまり、この場合、ＵＥは参照ＳＲＳのＵＥ送信ビームとターゲットＳＲＳのＵＥ送信ビームとが同じであると想定してもよい。
【００７４】
ＵＥは、ＤＣＩ（例えば、ＤＣＩフォーマット０＿１）内の所定フィールド（例えば、ＳＲＳリソース識別子（ＳＲＩ）フィールド）の値に基づいて、当該ＤＣＩによりスケジュールされるＰＵＳＣＨの空間関係を決定してもよい。具体的には、ＵＥは、当該所定フィールドの値（例えば、ＳＲＩ）に基づいて決定されるＳＲＳリソースの空間関係情報（例えば、ＲＲＣ情報要素の「spatialRelationInfo」）をＰＵＳＣＨ送信に用いてもよい。
【００７５】
（問題点）
前述のように、ＰＤＣＣＨ又はＰＤＳＣＨに対し、ＵＥは、ＲＲＣによって複数のＴＣＩ状態を設定され、ＭＡＣ  ＣＥ又はＤＣＩによって複数のＴＣＩ状態の１つを指示されてもよい。したがって、ＲＲＣ再設定（reconfiguration）を行うことなく、迅速にビームを切り替えることができる。
【００７６】
ＲＲＣによって設定可能なＴＣＩ状態の最大数（maxNrofTCI-States）は１２８であり、ＰＤＣＣＨ用のＴＣＩ状態の最大数（maxNrofTCI-StatesPDCCH）は６４である。
【００７７】
ＰＵＣＣＨに対し、ＵＥは、１つのＰＵＣＣＨリソースに対して８個の空間関係をＲＲＣによって設定され、１つの空間関係をＭＡＣ  ＣＥによって指示されてもよい。ＲＲＣによって設定された８個の空間関係以外の空間関係を用いるためには、ＲＲＣ再設定が必要となる。
【００７８】
ＰＵＳＣＨに対し、コードブックベース送信を用いる場合、ＵＥは、２個のＳＲＳリソースをＲＲＣによって設定され、２個のＳＲＳリソースの１つをＤＣＩ（１ビットのフィールド）によって指示されてもよい。ＰＵＳＣＨに対し、ノンコードブックベース送信を用いる場合、ＵＥは、４個のＳＲＳリソースをＲＲＣによって設定され、４個のＳＲＳリソースの１つをＤＣＩ（２ビットのフィールド）によって指示されてもよい。ＲＲＣによって設定された２個又は４個の空間関係以外の空間関係を用いるためには、ＲＲＣ再設定が必要となる。
【００７９】
ＰＵＳＣＨに用いられるＳＲＳリソースの空間関係に対し、ＤＬ−ＲＳを設定することができる。ＳＰ−ＳＲＳに対し、ＵＥは、複数（例えば、１６個まで）のＳＲＳリソースの空間関係をＲＲＣによって設定され、複数のＳＲＳリソースの１つをＭＡＣ  ＣＥによって指示されることができる。Ａ−ＳＲＳ、Ｐ−ＳＲＳに対し、ＵＥは、ＳＲＳリソースの空間関係をＭＡＣ  ＣＥによって指示されることはできない。
【００８０】
このように、ＵＬ送信（ＰＵＣＣＨ、ＰＵＳＣＨ、又はＳＲＳ）のための空間関係として、一度に多くの空間関係の候補を設定することが必要となる可能性がある。例えば、ビームコレスポンデンスによって、ＵＬ送信の空間関係としてＤＬ−ＲＳ（ＤＬのＴＣＩ状態）を用いる場合、多くのＤＬ−ＲＳ（例えば、３２個のＳＳＢ）を設定する可能性がある。
【００８１】
しかしながら、前述のように、ＵＬ送信に対して一度に設定可能な空間関係の候補の数は限られ、ＤＬチャネルに対して一度に設定可能なＴＣＩ状態の候補の数に比べて少ない。ＵＬ送信に対して設定されていない空間関係を用いるために、ＲＲＣ再設定によって別の空間関係を設定することが考えられる。ＲＲＣ再設定を行うと、通信できない時間が発生する、リソースを消費する、などが生じ、システムの性能が劣化するおそれがある。
【００８２】
そこで、本発明者らは、ＵＥが、特定上り送信の空間関係が特定下りチャネルの送信制御指示（ＴＣＩ）状態又は擬似コロケーション（ＱＣＬ）想定と同一であると想定することを着想した。
【００８３】
本開示において、特定ＵＬ送信は、特定ＵＬ信号又は特定ＵＬチャネルと読み替えられてもよいし、ＰＵＳＣＨ、ＰＵＣＣＨ、ＳＲＳの少なくとも１つと読み替えられてもよい。特定ＤＬチャネルは、ＰＤＣＣＨ及びＰＤＳＣＨの少なくとも１つと読み替えられてもよい。空間関係は、空間ドメイン送信フィルタ、空間ドメインフィルタ、ＵＥ送信ビーム、ＵＬ送信ビーム、ＤＬ−ＲＳなどと読み替えられてもよい。ＴＣＩ状態は、ＴＣＩ状態又はＱＣＬ想定、ＱＣＬ想定、空間ドメイン受信フィルタ、空間ドメインフィルタ、ＵＥ受信ビーム、ＤＬ受信ビーム、ＤＬ−ＲＳなどと読み替えられてもよい。
【００８４】
ＴＣＩ状態は、ＵＥに対して指示（設定）された受信ビーム（空間ドメイン受信フィルタ）を示していてもよい。ＱＣＬ想定は、関連付けられた信号（例えば、ＰＲＡＣＨ）の送信又は受信に基づき、ＵＥによって想定された受信ビーム（空間ドメイン受信フィルタ）を示していてもよい。
【００８５】
以下、本開示に係る実施形態について、図面を参照して詳細に説明する。各実施形態に係る無線通信方法は、それぞれ単独で適用されてもよいし、組み合わせて適用されてもよい。
【００８６】
（無線通信方法）
＜実施形態１＞
ＵＥは、特定ＵＬ送信の空間関係が、特定ＤＬチャネルのＴＣＩ状態又はＱＣＬ想定と同一であると想定してもよい（みなしてもよい）。
【００８７】
図２に示すように、ＵＥは、特定ＤＬチャネルのＴＣＩ状態（例えば、ＤＬ−ＲＳ、空間ドメイン受信フィルタ、空間ドメインフィルタ、ＵＥ受信ビーム）を、特定ＵＬ送信の空間関係（例えば、ＤＬ−ＲＳ、空間ドメイン送信フィルタ、空間ドメインフィルタ、ＵＥ送信ビーム）として用いてもよい。
【００８８】
ＵＥは、ＳＲＳ設定情報（SRS-config）の空間関係（例えば、spatialRelationInfo）を設定されない場合、特定ＵＬ送信の空間関係が特定ＤＬチャネルのＴＣＩ状態と同一であると想定してもよい。
【００８９】
周波数範囲１（Frequency  Range  1：ＦＲ１、６ＧＨｚ以下の周波数）においては、ＵＥは、ＵＬ送信にアナログビームフォーミングを用いなくてもよいし、ＵＬ送信に対して空間関係を設定されなくてもよい。
【００９０】
周波数範囲２（Frequency  Range  2：ＦＲ２、６ＧＨｚより高い周波数（又は２４ＧＨｚより高い周波数））において、ＵＥは、特定ＵＬ送信の空間関係が特定ＤＬチャネルのＴＣＩ状態と同一であると想定してもよい。ＦＲ２において、ＵＥは、ＳＲＳ設定情報の空間関係を設定されない場合、特定ＵＬ送信の空間関係が特定ＤＬチャネルのＴＣＩ状態と同一であると想定してもよい。
【００９１】
ＵＥは、特定ＤＬチャネルのＴＣＩ状態を適用可能である場合、特定ＵＬ送信の空間関係が特定ＤＬチャネルのＴＣＩ状態と同一であると想定してもよい。ＵＥは、特定ＤＬチャネルのＴＣＩ状態を適用可能であり、且つＳＲＳ設定情報の空間関係を設定されない場合、特定ＵＬ送信の空間関係が特定ＤＬチャネルのＴＣＩ状態と同一であると想定してもよい。
【００９２】
ＦＲ２において、ＵＥは、特定ＤＬチャネルのＴＣＩ状態を適用可能である場合、特定ＵＬ送信の空間関係が特定ＤＬチャネルのＴＣＩ状態と同一であると想定してもよい。ＦＲ２において、ＵＥは、特定ＤＬチャネルのＴＣＩ状態を適用可能であり、且つＳＲＳ設定情報の空間関係を設定されない場合、特定ＵＬ送信の空間関係が特定ＤＬチャネルのＴＣＩ状態と同一であると想定してもよい。
【００９３】
ＵＥは、Ｒｅｌ．１６以降の所定の機能を設定された場合、特定ＵＬ送信の空間関係が特定ＤＬチャネルのＴＣＩ状態と同一であると想定してもよい。ＵＥは、所定の機能を設定され、且つＳＲＳ設定情報の空間関係を設定されない場合、特定ＵＬ送信の空間関係が特定ＤＬチャネルのＴＣＩ状態と同一であると想定してもよい。
【００９４】
所定の機能は、Ｒｅｌ．１６以降のビーム関連の機能であってもよい。所定の機能は、上位レイヤシグナリングによってＵＥに設定されてもよい。ビーム関連の機能は、低遅延ビーム選択（low  latency  beam  selection）、Layer  1（Ｌ１）−Signal  to  Interference  plus  Noise  Ratio（ＳＩＮＲ）ビーム報告（L1-SINR  beam  reporting）、セカンダリセル（ＳＣｅｌｌ）上のＢＦＲ（BFR  on  SCell）の少なくとも１つであってもよい。低遅延ビーム選択は、高速ビーム選択（fast  beam  selection）、ＴＣＩ状態なしのビーム選択（beam  selection  w/o  TCI  state）、ビーム選択タイプII（beam  selection  type  II）、ＴＣＩ状態指定タイプ２などと呼ばれてもよい。Ｌ１−ＳＩＮＲビーム報告は、ＵＥがビーム管理のためにＬ１−ＳＩＮＲの測定結果（ＣＳＩ、ビームに対応するＬ１−ＳＩＮＲ）を報告することであってもよい。BFR  on  SCellは、ＳＣｅｌｌにおけるビーム障害（Beam  Failure：ＢＦ）を検出すること、ＳＣｅｌｌへビーム障害回復要求（Beam  Failure  Recovery  reQuest：ＢＦＲＱ）を送信すること、ＳＣｅｌｌからビーム障害回復（Beam  Failure  Recovery：ＢＦＲ）レスポンスを受信すること、の少なくとも１つであってもよい。
【００９５】
特定設定情報（ＲＲＣ情報要素）が、特定ＵＬ送信の空間関係が特定ＤＬチャネルのＴＣＩ状態と同一であることを示す特定パラメータを示してもよい。ＵＥは、特定設定情報によって特定パラメータを設定された場合（特定設定情報が特定パラメータを示す場合、特定設定情報が特定パラメータのフィールドを含む場合）、特定ＵＬ送信の空間関係が特定ＤＬチャネルのＴＣＩ状態と同一であると想定してもよい。特定パラメータは、特定ＵＬ送信の空間関係が特定ＤＬチャネルのＴＣＩ状態と同一であることを示すパラメータ（例えば、TCI  state）であってもよいし、特定ＵＬ送信の空間関係がＣＯＲＥＳＥＴのＴＣＩ状態と同一であることを示すパラメータ（例えば、CORESET）であってもよいし、特定ＵＬ送信の空間関係が特定ＤＬチャネルのＴＣＩ状態として用いられる参照信号（ＲＳ）と同一であることを示すパラメータ（例えば、ControlRS）であってもよい。
【００９６】
特定設定情報は、空間関係情報（例えば、spatialRelationInfo、PUCCH-SpatialRelationInfo）、空間関係情報内の参照信号情報（referenceSignal）、空間関係情報内のタイプであってもよい。例えば、参照信号情報又はタイプの選択肢の１つが特定パラメータであってもよい。
【００９７】
特定設定情報は、ＳＲＳリソース情報（SRS-Resource）内の空間関係情報（spatialRelationInfo）であってもよい。特定設定情報によって特定パラメータを設定された場合、ＵＥは、ＳＲＳの空間関係が、特定ＤＬチャネルのＴＣＩ状態と同一であると想定してもよい。
【００９８】
ＳＲＳ設定情報（SRS-Config）内のＳＲＳリソースセット情報（SRS-ResourceSet）がコードブックベース送信又はノンコードブックベース送信に用いられることを示し（ＳＲＳリソースセット情報内の用途（usage）がコードブック（codebook）又はノンコードブック（nonCodebook）を示し）、且つ当該ＳＲＳリソースセット内のＳＲＳリソースを示すＳＲＳリソース情報（SRS-Resource）内の空間関係情報（spatialRelationInfo）によって特定パラメータを設定された場合、ＵＥは、ＰＵＳＣＨの空間関係が、特定ＤＬチャネルのＴＣＩ状態と同一であると想定してもよい。
【００９９】
特定設定情報は、ＰＵＣＣＨ設定情報（PUCCH-Config）内のＰＵＣＣＨ空間関係情報（PUCCH-SpatialRelationInfo）であってもよい。ＰＵＣＣＨ空間関係情報によって特定パラメータを設定された場合、ＵＥは、ＰＵＣＣＨの空間関係が特定ＤＬチャネルのＴＣＩ状態と同一であると想定してもよい。
【０１００】
特定ＤＬチャネルのＴＣＩ状態は、アクティブＴＣＩ状態（アクティベートされたＴＣＩ状態）、アクティブＴＣＩ状態又はＱＣＬ想定、などと読み替えられてもよい。
【０１０１】
特定ＤＬチャネルに対して複数のＴＣＩ状態がアクティブであってもよい。特定ＤＬチャネルのＴＣＩ状態は、最新のスロットにおいて最低のＣＯＲＥＳＥＴ−ＩＤを有し且つモニタされるサーチスペースに関連付けられたＣＯＲＥＳＥＴの、ＴＣＩ状態又はＱＣＬ想定、と読み替えられてもよいし、ＵＬ送信に対応する（ＵＬ送信をトリガする、ＵＬ送信をスケジュールする）ＤＬチャネルのＴＣＩ状態又はＱＣＬ想定（例えば、デフォルトＴＣＩ状態）、と読み替えられてもよい。
【０１０２】
例えば、特定ＵＬ送信がＰＵＣＣＨである場合、特定ＤＬチャネルは、当該ＰＵＣＣＨに対応するＰＤＣＣＨであってもよいし、当該ＰＵＣＣＨで運ばれるＨＡＲＱ−ＡＣＫに対応するＰＤＳＣＨであってもよい。特定ＵＬ送信がＡ−ＳＲＳである場合、特定ＤＬチャネルは、当該Ａ−ＳＲＳをトリガするＰＤＣＣＨであってもよい。特定ＵＬ送信がＳＰ−ＳＲＳなど、ＭＡＣ  ＣＥによってトリガされるＵＬ送信である場合、特定ＤＬチャネルは、当該ＭＡＣ  ＣＥをスケジュールするＰＤＣＣＨであってもよいし、当該ＭＡＣ  ＣＥを運ぶＰＤＳＣＨであってもよい。
【０１０３】
特定ＵＬ送信は、ＰＵＳＣＨ及びＳＲＳの少なくとも１つであってもよい。これによって、仕様の変更を少なくすることができる。ＰＵＣＣＨに対しては、ＰＵＣＣＨ設定情報によって設定される空間関係の数を増やしてもよい（例えば、後述の実施形態２）。
【０１０４】
ＵＥがＳＲＳ設定情報の空間関係を設定されない場合として、次の実施形態１−１〜１−３の少なくとも１つが用いられてもよい。
【０１０５】
＜＜実施形態１−１＞＞
特定上位レイヤパラメータ（例えば、ＲＲＣ情報要素）内に特定フィールドが無い場合、ＵＥは、ＳＲＳの空間関係が、特定ＤＬチャネルのＴＣＩ状態と同一であると想定してもよい。
【０１０６】
ＳＲＳ設定情報（SRS-Config）内のＳＲＳリソース情報（SRS-Resource）内に、特定フィールドが無い場合、ＵＥは、ＳＲＳの空間関係が、特定ＤＬチャネルのアクティブＴＣＩ状態と同一であると想定してもよい。特定フィールドは、リファレンスＲＳ（reference  RS、例えば、ＳＳＢ、ＣＳＩ−ＲＳ、又はＳＲＳ）とターゲットＳＲＳの間の空間関係の設定である空間関係情報（spatialRelationInfo）であってもよい。
【０１０７】
ＳＲＳ設定情報（SRS-Config）内のＳＲＳリソースセット情報（SRS-ResourceSet）がコードブックベース送信又はノンコードブックベース送信に用いられることを示し（ＳＲＳリソースセット情報内の用途（usage）がコードブック（codebook）又はノンコードブック（nonCodebook）を示し）、且つ当該ＳＲＳリソースセット内のＳＲＳリソースを示すＳＲＳリソース情報（SRS-Resource）内に、特定フィールドが無い場合、ＵＥは、ＰＵＳＣＨの空間関係が、特定ＤＬチャネルのアクティブＴＣＩ状態と同一であると想定してもよい。特定フィールドは空間関係情報（spatialRelationInfo）であってもよい。
【０１０８】
ＰＵＣＣＨ設定情報（PUCCH-Config）内に、特定フィールドが無い場合、ＵＥは、ＰＵＣＣＨの空間関係が、特定ＤＬチャネルのアクティブＴＣＩ状態と同一であると想定してもよい。特定フィールドは、リスト（spatialRelationInfoToAddModList）の要素（element）であってもよい。要素は、ＰＵＣＣＨ送信用の空間セッティングを設定するために用いられるＰＵＣＣＨ空間関係情報（PUCCH-SpatialRelationInfo）であってもよい。
【０１０９】
＜＜実施形態１−２＞＞
特定上位レイヤパラメータが設定されない場合、ＵＥは、ＳＲＳの空間関係が、特定ＤＬチャネルのＴＣＩ状態と同一であると想定してもよい。
【０１１０】
特定上位レイヤパラメータは、特定ＲＲＣ情報要素であってもよいし、空間関係情報の上位レイヤパラメータ（spatialRelationInfo）であってもよい。
【０１１１】
ＳＲＳパラメータ（リファレンスＲＳとターゲットＳＲＳの間の空間関係の設定である空間関係情報の上位レイヤパラメータ（spatialRelationInfo））は、ＳＲＳリソースの上位レイヤパラメータ（SRS-Resource）によって準静的に（semi-statically）設定可能であってもよい。
【０１１２】
上位レイヤパラメータspatialRelationInfoは、それが設定される場合、リファレンスＲＳのＩＤを含んでもよい。リファレンスＲＳは、ＳＳ／ＰＢＣＨブロック、ＣＳＩ−ＲＳ、又はＳＲＳであってもよい。当該ＣＳＩ−ＲＳは、サービングセルＩＤの上位レイヤパラメータ（servingCellId）がある場合にそれによって指示されるサービングセル上に設定されてもよい。当該ＳＲＳは、ＵＬ  ＢＷＰの上位レイヤパラメータ（uplinkBWP）によって指示されるＵＬ  ＢＷＰ上に設定されてもよいし、サービングセルＩＤの上位レイヤパラメータ（servingCellId）がある場合にそれによって指示されるサービングセル上に設定されてもよいし、そうでない場合にターゲットＳＲＳと同じサービングセル上に設定されてもよい。
【０１１３】
上位レイヤパラメータspatialRelationInfoが設定されない場合、ＵＥは、空間関係が、特定ＤＬチャネルのアクティブＴＣＩ状態と同一であると想定してもよい。
【０１１４】
上位レイヤパラメータspatialRelationInfoが設定されない場合、ＵＥは、空間関係が、特定ＤＬチャネルのアクティブＴＣＩ状態、又は最新のスロットにおいて最低のＣＯＲＥＳＥＴ−ＩＤを有し且つモニタされるサーチスペースに関連付けられたＣＯＲＥＳＥＴの、ＴＣＩ状態又はＱＣＬ想定と同一であると想定してもよい。
【０１１５】
＜＜実施形態１−３＞＞
特定タイプのための特定上位レイヤパラメータが設定されない場合、ＵＥは、ＳＲＳの空間関係が、特定ＤＬチャネルのＴＣＩ状態と同一であると想定してもよい。特定タイプは、Ｐ−ＳＰＳ、ＳＰ−ＳＲＳ、Ａ−ＳＲＳの少なくとも１つであってもよいし、ＳＲＳリソース情報内のリソースタイプの上位レイヤパラメータ（resourceType）によって特定されてもよい。
【０１１６】
＜＜＜Ｐ−ＳＲＳ＞＞＞
１以上のＳＲＳリソース設定を設定されたＵＥに対し、ＳＲＳリソース情報（SRS-Resource）がＰ−ＳＲＳを示す場合（ＳＲＳリソース情報内のリソースタイプの上位レイヤパラメータ（resourceType）が「周期的（periodic）」を示す場合）について述べる。
【０１１７】
ＵＥが、リファレンスＳＳ／ＰＢＣＨブロックのＩＤ（ssb-Index）を含む上位レイヤパラメータspatialRelationInfoを設定された場合、ＵＥは、リファレンスＳＳ／ＰＢＣＨブロックの受信に用いられたものと同じ空間ドメイン送信フィルタを有するターゲットＳＲＳリソースを送信してもよい。ＵＥが、リファレンスＣＳＩ−ＲＳのＩＤ（csi-RS-Index）を含む上位レイヤパラメータspatialRelationInfoを設定された場合、ＵＥは、リファレンスの周期的ＣＳＩ−ＲＳ又はリファレンスのセミパーシステントＣＳＩ−ＲＳの受信に用いられたものと空間ドメイン送信フィルタを有するターゲットＳＲＳリソースを送信してもよい。ＵＥが、リファレンスＳＲＳのＩＤ（srs）を含む上位レイヤパラメータspatialRelationInfoを設定された場合、ＵＥは、リファレンスのＰ−ＳＲＳの送信に用いられたものと同じ空間ドメイン送信フィルタを有するターゲットＳＲＳリソースを送信してもよい。
【０１１８】
上位レイヤパラメータspatialRelationInfoが設定されない場合、ＵＥは、空間関係が、特定ＤＬチャネルのアクティブＴＣＩ状態と同一であると想定してもよい。
【０１１９】
上位レイヤパラメータspatialRelationInfoが設定されない場合、ＵＥは、空間関係が、最新のスロットにおいて最低のＣＯＲＥＳＥＴ−ＩＤを有し且つモニタされるサーチスペースに関連付けられたＣＯＲＥＳＥＴの、ＴＣＩ状態又はＱＣＬ想定と同一であると想定してもよい。
【０１２０】
＜＜＜ＳＰ−ＳＲＳ＞＞＞
１以上のＳＲＳリソース設定を設定されたＵＥに対し、ＳＲＳリソース情報（SRS-Resource）がＳＰ−ＳＲＳを示す場合（ＳＲＳリソース情報内のリソースタイプの上位レイヤパラメータ（resourceType）が「セミパーシステント（semi-persistent）」を示す場合）について述べる。
【０１２１】
ＵＥがＳＲＳリソースに対するアクティベーションコマンドを受信した場合、及び選択コマンド（selection  command）を運ぶＰＤＳＣＨに対応するＨＡＲＱ−ＡＣＫがスロットｎにおいて送信された場合、対応する動作と、設定されたＳＲＳリソースセットに対応するＳＲＳ送信上のＵＥの想定とが、スロットｎ＋３Ｎ＋１から適用されてもよい（Ｎはサブフレーム内のスロット数）。アクティベーションコマンドは、アクティベートされたＳＲＳリソースセットの要素につき１つの参照信号ＩＤへのリファレンスのリストによって提供される空間関係想定を含んでもよい。リスト内の各ＩＤは、リファレンスの、ＳＳ／ＰＢＣＨブロック、ＮＺＰ  ＣＳＩ−ＲＳリソース、又はＳＲＳリソースを参照してもよい。リファレンスのＮＺＰ  ＣＳＩ−ＲＳリソースは、アクティベーションコマンド内にリソースサービングセルＩＤフィールドが有る場合にそれによって指示されるサービングセル上に設定されたＮＺＰ  ＣＳＩ−ＲＳリソースであってもよく、そうでない場合にＳＲＳリソースセットと同じサービングセル上に設定されたＮＺＰ  ＣＳＩ−ＲＳリソースであってもよい。リファレンスのＳＲＳリソースは、アクティベーションコマンド内にリソースサービングセルＩＤ及びリソースＢＷＰ  ＩＤが有る場合にそれによって指示されたサービングセル上及びＵＬ  ＢＷＰ上に設定されたＳＲＳリソースであってもよいし、そうでない場合にＳＲＳリソースセットと同じサービングセル上及びＢＷＰ上に設定されたＳＲＳリソースであってもよい。
【０１２２】
ＵＥが、リファレンスＳＳ／ＰＢＣＨブロックのＩＤ（ssb-Index）を含む上位レイヤパラメータspatialRelationInfoを設定された場合、ＵＥは、リファレンスＳＳ／ＰＢＣＨブロックの受信に用いられたものと同じ空間ドメイン送信フィルタを有するターゲットＳＲＳリソースを送信してもよい。ＵＥが、リファレンスＣＳＩ−ＲＳのＩＤ（csi-RS-Index）を含む上位レイヤパラメータspatialRelationInfoを設定された場合、ＵＥは、リファレンスの周期的ＣＳＩ−ＲＳ又はリファレンスのセミパーシステントＣＳＩ−ＲＳの受信に用いられたものと空間ドメイン送信フィルタを有するターゲットＳＲＳリソースを送信してもよい。ＵＥが、リファレンスＳＲＳのＩＤ（srs）を含む上位レイヤパラメータspatialRelationInfoを設定された場合、ＵＥは、リファレンスのＳＰ−ＳＲＳ又はリファレンスのＳＰ−ＳＲＳの送信に用いられたものと同じ空間ドメイン送信フィルタを有するターゲットＳＲＳリソースを送信してもよい。
【０１２３】
上位レイヤパラメータspatialRelationInfoを１つも設定されない場合、又は上位レイヤパラメータspatialRelationInfoを１つもアクティベートされない場合、ＵＥは、空間関係が、特定ＤＬチャネルのアクティブＴＣＩ状態と同一であると想定してもよい。
【０１２４】
上位レイヤパラメータspatialRelationInfoを１つも設定されない場合、又は上位レイヤパラメータspatialRelationInfoを１つもアクティベートされない場合、ＵＥは、空間関係が、最新のスロットにおいて最低のＣＯＲＥＳＥＴ−ＩＤを有し且つモニタされるサーチスペースに関連付けられたＣＯＲＥＳＥＴの、ＴＣＩ状態又はＱＣＬ想定と同一であると想定してもよい。
【０１２５】
＜＜＜Ａ−ＳＲＳ＞＞＞
１以上のＳＲＳリソース設定を設定されたＵＥに対し、ＳＲＳリソース情報（SRS-Resource）がＡ−ＳＲＳを示す場合（ＳＲＳリソース情報内のリソースタイプの上位レイヤパラメータ（resourceType）が「非周期的（aperiodic）」を示す場合）について述べる。
【０１２６】
ＵＥが、リファレンスＳＳ／ＰＢＣＨブロックのＩＤ（ssb-Index）を含む上位レイヤパラメータspatialRelationInfoを設定された場合、ＵＥは、リファレンスＳＳ／ＰＢＣＨブロックの受信に用いられたものと同じ空間ドメイン送信フィルタを有するターゲットＳＲＳリソースを送信してもよい。ＵＥが、リファレンスＣＳＩ−ＲＳのＩＤ（csi-RS-Index）を含む上位レイヤパラメータspatialRelationInfoを設定された場合、ＵＥは、リファレンスの周期的ＣＳＩ−ＲＳ、リファレンスのセミパーシステントＳＰ−ＣＳＩ−ＲＳ、又は最新のリファレンスの非周期的ＣＳＩ−ＲＳの受信に用いられたものと空間ドメイン送信フィルタを有するターゲットＳＲＳリソースを送信してもよい。ＵＥが、リファレンスＳＲＳのＩＤ（srs）を含む上位レイヤパラメータspatialRelationInfoを設定された場合、ＵＥは、リファレンスのＰ−ＳＲＳ、リファレンスのＳＰ−ＳＲＳ、又はリファレンスのＡ−ＳＲＳの送信に用いられたものと同じ空間ドメイン送信フィルタを有するターゲットＳＲＳリソースを送信してもよい。
【０１２７】
上位レイヤパラメータspatialRelationInfoが設定されない場合、ＵＥは、空間関係が、特定ＤＬチャネルのアクティブＴＣＩ状態と同一であると想定してもよい。
【０１２８】
上位レイヤパラメータspatialRelationInfoが設定されない場合、ＵＥは、空間関係が、最新のスロットにおいて最低のＣＯＲＥＳＥＴ−ＩＤを有し且つモニタされるサーチスペースに関連付けられたＣＯＲＥＳＥＴの、ＴＣＩ状態又はＱＣＬ想定と同一であると想定してもよい。
【０１２９】
上位レイヤパラメータspatialRelationInfoが設定されない場合、ＵＥは、空間関係が、Ａ−ＳＰＳをトリガするＰＤＣＣＨのＴＣＩ状態又はＱＣＬ想定と同一であると想定してもよい。
【０１３０】
以上の実施形態１によれば、特定ＤＬチャネルのアクティブＴＣＩ状態がＭＡＣ  ＣＥ又はＤＣＩによって更新された場合に、特定ＵＬ送信の空間関係を更新することができる。ＲＲＣ再設定を行う必要がなく、特定ＵＬ送信の空間関係を迅速に制御できるため、特定ＵＬ送信の通信特性を高めることができる。また、空間関係のためのシグナリングのオーバヘッド、通信の中断を避けることができる。
【０１３１】
ＵＥ能力情報において、ＣＣ毎及びＢＷＰ毎の、ＰＵＣＣＨとＰＵＳＣＨ用のＳＲＳとのための空間ドメイン送信フィルタを指示するための、（非周期的ＮＺＰ  ＣＳＩ−ＲＳ）ユニークなＤＬ−ＲＳと、空間関係の設定のないＳＲＳと、非周期的ＮＺＰ  ＣＳＩ−ＲＳのＤＣＩトリガリングに利用可能なＴＣＩ状態と、であるアクティブ空間関係の総数の最大数が少なくとも１であることが検討されている。更に、このアクティブ空間関係の最大数が１である場合、ＰＵＣＣＨ用の追加の１つのアクティブ空間関係をサポートすることが検討されている。実施形態１によれば、アクティブ空間関係の総数を１に保つことができ、ＵＥはこのＵＥ能力情報に沿って動作することができる。
【０１３２】
＜実施形態２＞
１つのＰＵＣＣＨリソースセット内の２つ以上のＰＵＣＣＨリソースが同じリソースを示してもよい。ＰＵＣＣＨ設定情報は、２つ以上のＰＵＣＣＨ空間関係情報リスト（spatialRelationInfoToAddModList）を含んでもよい。２つ以上のＰＵＣＣＨリソースは、異なるＰＵＣＣＨ空間関係情報リストに関連付けられてもよい。
【０１３３】
ＵＥは、ＭＡＣ  ＣＥによって、２つ以上のＰＵＣＣＨリソースのそれぞれに対し、対応するＰＵＣＣＨ空間関係情報リストの中の１つの空間関係情報を指示されてもよい（アクティベートされてもよい）。これによって、ＵＥは、２つ以上のＰＵＣＣＨリソースに対して異なるＰＵＣＣＨ空間関係情報を指示されてもよい。
【０１３４】
ＵＥは、ＤＣＩ内のＰＵＣＣＨリソース指示（PUCCH  resource  indicator）フィールドの値と、当該ＤＣＩを運ぶＰＤＣＣＨ受信用の制御リソースセット（COntrol  REsource  SET（ＣＯＲＥＳＥＴ））内のＣＣＥ数（ＮＣＣＥ）と、当該ＰＤＣＣＨ受信の最初のＣＣＥのインデックス（ｎＣＣＥ，０）と、の少なくとも一つに基づいて、ＰＵＣＣＨリソースセット内の１つのＰＵＣＣＨリソースを決定してもよい。
【０１３５】
例えば、１つのＰＵＣＣＨリソースセット内の、ＰＵＣＣＨリソース＃０，＃１が同じリソースを示してもよい。ＰＵＣＣＨリソース＃０にＰＵＣＣＨ空間関係情報＃０，＃１，＃２，＃３，＃４，＃５，＃６，＃７を含むＰＵＣＣＨ空間関係情報リストが関連付けられ、ＰＵＣＣＨリソース＃１にＰＵＣＣＨ空間関係情報＃８，＃９，＃１０，＃１１，＃１２，＃１３，＃１４，＃１５を含むＰＵＣＣＨ空間関係情報リストが関連付けられてもよい。
【０１３６】
ＵＥは、ＭＡＣ  ＣＥによって、ＰＵＣＣＨリソース＃０，＃１のそれぞれに対し、対応するＰＵＣＣＨ空間関係情報リストの中の１つのＰＵＣＣＨ空間関係情報を指示され、ＰＤＣＣＨによってＰＵＣＣＨリソース＃０，＃１を指示されてもよい。これによって、ＵＥは、ＰＵＣＣＨリソース＃０，＃１のいずれを指示されても同じリソースを指示され、１６個のＰＵＣＣＨ空間関係情報の１つを指示されることができる。
【０１３７】
例えば、１つのＰＵＣＣＨリソースセット内の８個のＰＵＣＣＨリソースが同じリソースを示してもよい。異なるＰＵＣＣＨリソースに異なるＰＵＣＣＨ空間関係情報リストが関連付けられてもよい。この場合、ＵＥは、ＭＡＣ  ＣＥ及びＰＤＣＣＨによって、８×８＝６４個のＰＵＣＣＨ空間関係情報の１つを指示されることができる。
【０１３８】
実施形態２によれば、ＲＲＣ再設定を行うことなく、８より多いＰＵＣＣＨ空間関係情報を迅速に切り替えることができる。
【０１３９】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１４０】
図３は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１４１】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１４２】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１４３】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１４４】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１４５】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１４６】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１４７】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１４８】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１４９】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１５０】
ユーザ端末２０は、ＬＴＥ、ＬＴＥ−Ａ、５Ｇなどの通信方式の少なくとも１つに対応した端末であってもよい。
【０１５１】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１５２】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１５３】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１５４】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１５５】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１５６】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１５７】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１５８】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１５９】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１６０】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１６１】
なお、本開示において下りリンク、上りリンクなどは「リンク」を付けずに表現されてもよい。また、各種チャネルの先頭に「物理（Physical）」を付けずに表現されてもよい。
【０１６２】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１６３】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１６４】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１６５】
（基地局）
図４は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１６６】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１６７】
制御部１１０は、基地局１０全体の制御を実施する。制御部１１０は、本開示に係る技術分野での共通認識に基づいて説明されるコントローラ、制御回路などから構成することができる。
【０１６８】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１６９】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１７０】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１７１】
送受信アンテナ１３０は、本開示に係る技術分野での共通認識に基づいて説明されるアンテナ、例えばアレイアンテナなどから構成することができる。
【０１７２】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１７３】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１７４】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１７５】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１７６】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１７７】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１７８】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７９】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１８０】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１８１】
なお、本開示における基地局１０の送信部及び受信部は、送受信部１２０、送受信アンテナ１３０及び伝送路インターフェース１４０の少なくとも１つによって構成されてもよい。
【０１８２】
なお、送受信部１２０は、参照信号（例えば、ＳＳＢ、ＣＳＩ−ＲＳなど）を送信してもよい。送受信部１２０は、特定ＤＬチャネルのためのＴＣＩ状態を指示する情報（ＭＡＣ  ＣＥ又はＤＣＩ）を送信してもよい。
【０１８３】
（ユーザ端末）
図５は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１８４】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１８５】
制御部２１０は、ユーザ端末２０全体の制御を実施する。制御部２１０は、本開示に係る技術分野での共通認識に基づいて説明されるコントローラ、制御回路などから構成することができる。
【０１８６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１８７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１８８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１８９】
送受信アンテナ２３０は、本開示に係る技術分野での共通認識に基づいて説明されるアンテナ、例えばアレイアンテナなどから構成することができる。
【０１９０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１９１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１９２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１９３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１９４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１９５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１９６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１９７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１９８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１９９】
なお、本開示におけるユーザ端末２０の送信部及び受信部は、送受信部２２０及び送受信アンテナ２３０の少なくとも１つによって構成されてもよい。
【０２００】
なお、送受信部２２０は、参照信号（例えば、ＳＳＢ、ＣＳＩ−ＲＳなど）を受信してもよい。
【０２０１】
また、制御部２１０は、特定上り送信の空間関係が特定下りチャネルの送信制御指示（ＴＣＩ）状態又は擬似コロケーション（ＱＣＬ）想定と同一であると想定してもよい。送受信部２２０は、前記空間関係を用いて前記特定上り送信を行ってもよい。
【０２０２】
また、制御部２１０は、サウンディング参照信号（ＳＲＳ）設定情報によって空間関係情報を設定されない場合、前記空間関係が前記ＴＣＩ状態又は前記ＱＣＬ想定と同一であると想定してもよい。
【０２０３】
また、制御部２１０は、前記特定上り送信の設定のための無線リソース制御（ＲＲＣ）情報要素に、前記空間関係を示すフィールドが無い場合、前記空間関係が、前記特定下りチャネルのアクティブＴＣＩ状態、又は、最新のスロットにおいて最低の制御リソースセットＩＤを有し且つモニタされるサーチスペースに関連付けられた制御リソースセットのアクティブＴＣＩ状態又はＱＣＬ想定、と同一であると想定してもよい。
【０２０４】
また、制御部２１０は、特定タイプのＳＲＳリソースのための空間関係情報を示す上位レイヤパラメータを設定されない場合、前記空間関係が、前記特定下りチャネルのアクティブＴＣＩ状態、又は、最新のスロットにおいて最低の制御リソースセットＩＤを有し且つモニタされるサーチスペースに関連付けられた制御リソースセットのアクティブＴＣＩ状態又はＱＣＬ想定、と同一であると想定してもよい。
【０２０５】
また、制御部２１０は、６ＧＨｚよりも高い周波数（ＦＲ２）において、前記ＳＲＳ設定情報によって空間関係情報を設定されない場合、前記空間関係が前記ＴＣＩ状態又は前記ＱＣＬ想定と同一であると想定してもよい。
【０２０６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２０７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２０８】
例えば、本開示の一実施形態における基地局、ユーザ端末などは、本開示の無線通信方法の処理を行うコンピュータとして機能してもよい。図６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２１０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２１１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２１２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０２１３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２１４】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２１５】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２１６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２１７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２１８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１９】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０２２１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２２２】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２２３】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０２２４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２２５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２２６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２２７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３０】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２３１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３２】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２３３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２３４】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２３５】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２３６】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２３７】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２３８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２３９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２４０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２４１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２４２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２４４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２４５】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２４６】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２４７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２５１】
本開示において使用する「システム」及び「ネットワーク」という用語は、互換的に使用され得る。「ネットワーク」は、ネットワークに含まれる装置（例えば、基地局）のことを意味してもよい。
【０２５２】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２５３】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２５４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２５５】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２５６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２５７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２５８】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２５９】
同様に、本開示におけるユーザ端末は、基地局で読み替えてもよい。この場合、上述のユーザ端末２０が有する機能を基地局１０が有する構成としてもよい。
【０２６０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２６１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２６２】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２６３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２６５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２６６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２６７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６８】
また、「判断（決定）」は、「想定する（assuming）」、「期待する（expecting）」、「みなす（considering）」などで読み替えられてもよい。
【０２６９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２７０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２７１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２７２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２７３】
本開示において、例えば、英語でのa,  an及びtheのように、翻訳によって冠詞が追加された場合、本開示は、これらの冠詞の後に続く名詞が複数形であることを含んでもよい。
【０２７４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020148903.tif 000003
【図２】
2020148903.tif 000004
【図３】
2020148903.tif 000005
【図４】
2020148903.tif 000006
【図５】
2020148903.tif 000007
【図６】
2020148903.tif 000008
【国際調査報告】
2020148903.tif 000009
2020148903.tif 000010